(57)【要約】【課題】弾性片の耐久性を向上させることにより、寿命が長くなったトランシーバーケージを提供すること。【解決手段】天板２　と底板３　と背板４　と第１　側板５　および第２　側板６　とを有してトランシーバーモジュールを収納するために正面に開口部７　を有する筐体１　と、筐体１　の内側で背板４　側から正面へ向かって所定距離だけ突出する少なくとも一つの弾性片８ａ，８ｂ　と、筐体１　に収納されたトランシーバーモジュールを弾性片８ａ，８ｂ　の力に抗して筐体１　内にとどめておくための係止部材９　を有し、係止部材９　によるトランシーバーモジュールの係止と、その解除によってトランシーバーモジュールのトランシーバーケージからの着脱が可能となるトランシーバーモジュールを保護するためのトランシーバーケージである。弾性片８ａ，８ｂ　が、背板４　側の端部の第１曲げ部１０と、突出側の端部の第２曲げ部１１と、前記第１曲げ部１０及び第２曲げ部１１との間に設けられた更なる少なくとも一つの曲げ部１２ａ，１２ｂ，１２ｃ，１２ｄ　を有することを特徴とする。【選択図】　　　　図１
2004087790.tif 000002
【特許請求の範囲】
【請求項１】
トランシーバーモジュールを収納するためのトランシーバーケージであり、
天板と底板と背板と第１　側板および第２　側板とを有してトランシーバーモジュールを収納するための開口部が正面に設けられた筐体と、
前記筐体の内側で背板側から正面へ向かって所定距離だけ突出する少なくとも一つの弾性片と、
筐体に収納されたトランシーバーモジュールを前記弾性片の力に抗して筐体内にとどめておくための係止部材を有し、
前記係止部材によるトランシーバーモジュールの係止と、その解除によってトランシーバーモジュールのトランシーバーケージからの着脱が可能となるトランシーバーケージであって、
前記弾性片は、筐体接続側の端部の第１曲げ部と、突出側の端部の第２曲げ部と、前記第１曲げ部及び第２曲げ部との間に設けられた更なる少なくとも一つの曲げ部を有するトランシーバーケージ。
【発明の詳細な説明】
【０００１】
【発明の属する技術分野】
本発明は、光信号や電気信号の送受信を行うトランシーバーモジュールを収納して電磁干渉（ＥＭＩ）等からモジュールを保護するためのケージに関する。前記トランシーバーモジュールとしては、例えばＳＦＰ（Ｓｍａｌｌ　Ｆｏｒｍ　Ｆａｃｔｏｒ　Ｐｌｕｇｇａｂｌｅ）　光通信インターフェースモジュール等が挙げられる。
【０００２】
【従来の技術】
トランシーバーケージは例えば、光通信システムにおいてコネクタにより着脱可能な光トランシーバーモジュールを収納するように、コネクタと対応して回路基板上に設置される。光トランシーバーモジュールは光信号から電気信号、あるいは電気信号から光信号に変換する機能を有するが、その際に電磁干渉（ＥＭＩ）を排除する必要がある。金属プレートで構成されているトランシーバーケージは電磁干渉（ＥＭＩ）シールドとして機能する。更に、電磁干渉（ＥＭＩ）シールド機能だけでなく、機械的損傷防止、防塵機能も有する。
【０００３】
このようなトランシーバーケージの従来技術の例を図１２及び図１３に基づいて説明する。図１２は従来のトランシーバーケージを底面側から見た斜視図であり、図１３は図１２に示された弾性片５８ａ，５８ｂ　を底面からみた図である。
図１２及び図１３に示す従来のトランシーバーケージは、筐体５１と２つの弾性片５８ａ，５８ｂ　とを有する。筐体５１は、天板５２と底板５３と背板５４と第１　側板５５および第２　側板５６とを有する。そしてトランシーバーモジュール収納するための開口部５７が正面に形成されている。
【０００４】
弾性片５８ａ，５８ｂ　は、筐体５１に収納されたトランシーバーモジュールを前記開口部５７側へと押しやるために前記筐体５１の内側で背板５４側から正面へ向かって所定距離だけ突出している。筐体５１に収納されたトランシーバーモジュールを前記弾性片５８ａ，５８ｂ　の力に抗して筐体５１内にとどめておくためにトランシーバーモジュールと係合する係止部材５９が前記筐体５１に設けられている。前記筐体５１の係止部材５９によるトランシーバーモジュールとの係合と、その解除によってトランシーバーモジュールのトランシーバーケージからの着脱が可能となる。
【０００５】
前記弾性片５８ａ，５８ｂ　は、第１　側板５５及び第２　側版５６の背板側の端部の上側延長部分を筐体の内側に湾曲させることにより形成されている。前記弾性片５８ａ，５８ｂ　は、それぞれ図１３に示されているように、背板側の端部の第１曲げ部６０と、突出側の端部の第２曲げ部６１と、前記第１曲げ部６０及び第２曲げ部６１との間に設けられた平面部６２とからなる。前記弾性片５８ａ，５８ｂ　は、筐体５１内で背板５４側から正面の開口部５７側へと突出している。
【０００６】
第１曲げ部６０は、第１　側板５５又は第２　側版５６との接続部である。第２曲げ部６１は、トランシーバーモジュールと最初に接触する部分であり、弾性片５８ａ，５８ｂ　の先端部がトランシーバーモジュールの背面を擦って傷つけないようにするために設けられた曲げ部である。前記弾性片５８ａ，５８ｂ　は、トランシーバーモジュール収納時、トランシーバーモジュールの背面を圧迫し、筐体５１とトランシーバーモジュールとの係合が解除されたときにその弾性力でトランシーバーモジュールを押し出し排出する。
【０００７】
【発明が解決しようとする課題】
しかしながら、従来のトランシーバーケージによると、トランシーバーモジュールの頻繁な出し入れの繰り返しによって弾性片の第１曲げ部６０が塑性変形を起こしやすいという問題があった。第１曲げ部６０が塑性変形を起こすと弾性片の弾性能力が低下しトランシーバーモジュールの排出機能が低下する。
本発明は、上記問題を鑑みてなされたものであって、その目的とするところは、弾性片の耐久性を向上させることにより、寿命が長くなったトランシーバーケージを提供するものである。
【０００８】
【課題を解決するための手段】
本発明は、トランシーバーモジュールを収納するためのトランシーバーケージであり、天板と底板と背板と第１　側板および第２　側板とを有してトランシーバーモジュール収納するために正面に開口を有する筐体と、前記筐体の内側で背板側から正面へ向かって所定距離だけ突出する少なくとも一つの弾性片と、筐体に収納されたトランシーバーモジュールを前記弾性片の力に抗して筐体内にとどめておくための係止部材を有し、前記係止部材によるトランシーバーモジュールの係止と、その解除によってトランシーバーモジュールのトランシーバーケージからの着脱が可能となるトランシーバーケージに関する。
【０００９】
そして、上記目的を達成するために本発明は、前記弾性片が、背板側の端部の第１曲げ部と、突出側の端部の第２曲げ部と、前記第１曲げ部及び第２曲げ部との間に設けられた更なる少なくとも一つの曲げ部を有することを特徴とする。
上記構造の本発明のトランシーバーケージによると、弾性片の筐体接続側の端部となる第１曲げ部と、突出側の端部、即ち、トランシーバーモジュールが最初に接触する側の端部となる第２曲げ部との間に更なる少なくとも一つの曲げ部を有しているので、トランシーバーモジュール挿入時、弾性片に加わる応力が前記更なる曲げ部によって分散されて一箇所に集中しにくい。そのため、弾性片の塑性変形が容易に起きなくなり、弾性片の耐久性が向上する。
【００１０】
尚、前記トランシーバーモジュールとして、例えばＳＦＰ光通信インターフェースモジュールが挙げられるが、ＳＦＰは光通信に限らず、電気信号と電気信号を単に接続するトランシーバーモジュールも含まれる。
ＳＦＰとは、Ｓｍａｌｌ　Ｆｏｒｍ　Ｆａｃｔｏｒ　Ｐｌｕｇｇａｂｌｅ　の略であり、モジュール部分が、モジュールに含まれているプラグコネクタ部と回路基板上に実装されているホストコネクタにより着脱可能（Ｐｌｕｇｇａｂｌｅ）　なトランシーバーを意味する。
【００１１】
【発明の実施の形態】
以下、本発明の第１実施形態例を図面に基づいて説明する。図１　は本発明の第１実施形態例を底面側から見た斜視図であり、図２は本発明の第１実施形態例を上面側から見た斜視図である。図１において、符号１は筐体、８ａ，８ｂ　は弾性片である。図３は本発明の第１実施形態例の弾性片８ａ，８ｂ　を底から見た図である。
第１実施形態例に係わるトランシーバーケージは、一枚の金属プレートから形成されている。一枚の金属プレートの所定の場所を所定の形状に打ち抜いたり、曲げ加工を施すことによって形成されている。図１中の符号１６　は、一枚の金属プレートを筐体１　に形成するための接合部を示している。
【００１２】
筐体１　は、天板２　と底板３　と背板４　と第１　側板５　および第２　側板６　とを有する。そしてトランシーバーモジュールを受容し且つ案内するための第１　の開口部７　が正面に形成されている。
天板２　には、トランシーバーモジュール冷却用の放熱孔１４が多数設けられている。
底板３　の長さは、背板４　側の底面に第２　開口部１７を形成するために、天板２　よりも短い。この第２　開口部１７内に、例えば、コネクタ等を設置してトランシーバーモジュールと回路基板とを電気的に接続する。
トランシーバーモジュールを係止する係止部材９　が開口部周辺に設けられている。具体的には、係止部材９　は、底板３　の正面側の端部、即ち、第１開口部７側の端部の左右方向の中央に設けられている。
【００１３】
係止部材９　は、底板３　の正面側の端部に設けられた２つの切り込み９ａに挟まれるようにして形成されたタブ状バネであり、中央に、三角形の窓部９ｂを有する。前記切り込み９ａは、底板３　の正面側の端から後方に向かって所定長さだけ切り込まれている。そして、前記切り込み９ａの後方端側を支点にして係止部材９は、トランシーバーモジュールの底板に弾性接触する程度にわずかに筐体１内へと押し込まれている。
【００１４】
トランシーバーモジュールが完全に筐体１内に納まると、係止部材９の窓部９ｂがトランシーバーモジュールに設けられた凸状係合部に嵌り込み係合する。筐体１　に収納されたトランシーバーモジュールを前記弾性片８ａ，８ｂ　の力に抗して筐体１　内にとどめる。
尚、係止部材は、トランシーバーモジュールに設けられた凸部と係合するタブ状バネに限らず、ロック片、係合片などでもよい。
また、トランシーバーモジュール収納されていない場合、内部部材の汚染防止や電磁干渉の防止のために、第１　開口部７を塞ぐことのできる蓋部材などがあっても良い。
【００１５】
弾性片８ａ，８ｂ　は、筐体１　に収納されたトランシーバーモジュールを前記開口部７　側へと押しやるために前記筐体１　の内側で背板４　側から正面へ向かって所定距離だけ突出している。前記筐体１　の係止部材９　によるトランシーバーモジュールの係止と、その解除によってトランシーバーモジュールのトランシーバーケージからの着脱が可能となる。
【００１６】
トランシーバーケージは、図示しないプリント回路基板に取り付けられ、そして、前記回路基板は、各種装置に搭載されるべく、各種装置に設けられた収納ケースに納められる。前記収納ケースは、前記回路基板と外部の各種デバイスと電気若しくは光信号の送受信を行うことを可能にするために、回路基板上のコネクタ等を露出させるための窓部が設けられたパネルを有する。前記筐体１　の開口部７は、前記収納ケースのパネル上で露出される。そのパネルとの係合を可能し、更に、トランシーバーケージの接地を可能とするパネル装着用係合部材１５が開口部７の周囲に形成されている。
【００１７】
係合部材１５は、天板２　に３つ、各側板５，６　に２つ、底板３に２つ、筐体１の第１　開口部側の端部のそれぞれ所定の場所に設けられている。底板３の係合部材１５は係止部材９　の両側に設けられている。
係合部材１５は、天板２　、各側板５，６　、底板３のそれぞれの第１　開口部７　側の端の延長部を短冊状に切り抜き、前記短冊を筐体１の外側へ折り返すことによって形成された短冊状バネである。
【００１８】
両側板５　，６　の下端、底板３　、背板４　の下端にトランシーバーケージをプリント回路基板へ装着するための脚が設けられている。
本実施形態例において、前記脚として、取付用脚１３ａ　、位置決め用脚１３ｂ　、ＥＭＩ　用脚１３ｃ　が設けられている。前記脚の種類は、適宜用途に応じて選択変更される。
取付用脚１３ａ　としては、半田接続用脚、無半田接続用（プレスフィット用）脚などがある。更に、半田接続用脚には、スルーホールに挿入されて半田付けされるものやＳＭＴ　（Ｓｕｒｆａｃｅ　Ｍｏｕｎｔｅｄ　Ｔｅｃｈｎｏｌｏｇｙ）　により回路基板表面上の対応するパターンに半田付けされるものがある。前記取付用脚１３ａ　の種類は、適宜用途に応じて選択変更される。
【００１９】
本実施形態例において、取付用脚１３ａ　は無半田接続用脚であり、各側板５，６　の下端に４つづつ形成されている。それらは第１　、第２　側板５，６　間で互いに対向しない位置に設けられており、ケージの回路基板への取り付けを強固なものにしている。更に、背板４　の下端にも１つのＥＭＩ　用脚１３ｃ　を挟んで無半田接続用脚１３ａ　が２つ設けられている。
【００２０】
無半田接続用脚１３ａ　は垂直方向（上下方向）に長い略楕円形のリングである。ケージを図示されないプリント回路基板に取り付ける際、前記無半田接続用脚１３ａ　は回路基板に設けられた対応する所定の孔に圧入されて水平方向（前後若しくは左右方向）に長い略楕円となるように変形される。これにより、無半田接続用脚１３ａ　は回路基板の所定の孔に係合し、ケージが回路基板から離脱するのを防止する。このような無半田接続用脚１３ａ　は、半田付けを要せず、ケージの回路基板への取り付けを容易にする。
【００２１】
位置決め用脚１３ｂ　は、ケージを図示されないプリント回路基板に取り付ける際、回路基板に設けられた対応する所定の孔に挿し込まれる。位置決め用脚１３ｂ　としては、単に孔に挿しとおされるものや、孔に圧入されて係合するものがある。係合する位置決め用脚１３ｂ　は、ハンダ付け工程中やリフロー中、ケージをプリント回路基板上へ仮止めするという機能も奏する。前記位置決め用脚１３ｂ　の種類は、適宜用途に応じて選択変更される。位置決め用脚１３ｂ　は、底板３　の第２　開口部端に２つ、係止部材９　の近傍の左右方向の中央に１つ設けられている。
【００２２】
ＥＭＩ　用脚１３ｃ　は、ケージを図示されないプリント回路基板に取り付ける際、回路基板に設けられ、グランドに接続された所定の孔に挿し込まれる。ＥＭＩ　用脚１３ｃ　としては、単に孔に挿しとおされるものや、孔に圧入されて係合するものがある。挿しとおされるＥＭＩ　用脚１３ｃ　はハンダ付けされることにより、係合するＥＭＩ　用脚１３ｃ　は孔に圧入されることにより、グランドに接続される。また、係合するＥＭＩ　用脚１３ｃ　は、ハンダ付け工程中やリフロー中、ケージをプリント回路基板上へ仮止めするという機能も奏する。ＥＭＩ　用脚１３ｃ　の種類は、適宜用途に応じて選択変更される。前記ＥＭＩ　用脚１３ｃ　は、第２　開口部１７を囲むように各側板５，６　の下端に３つづつ、背板４　の下端に１つ設けられている。
【００２３】
前記弾性片８ａ，８ｂ　は、第１　側板５　及び第２　側版６　の背板側の端の上部の延長部分を筐体の内側に湾曲させることにより形成された板バネの一種である。弾性片８ａ，８ｂ　の各々は、一端が固定され、他端が自由にされた片持ち弾性バネである。
前記弾性片８ａ，８ｂ　は、それぞれ図３に示されているように、筐体側の端部の第１曲げ部１０と、突出側の端部の第２曲げ部１１と、前記第１曲げ部１０及び第２曲げ部１１との間に設けられた更なる複数の第３，第４，第５，第６，曲げ部１２ａ，１２ｂ，１２ｃ，１２ｄ　とからなる。
【００２４】
これらの曲げ部は、第１曲げ部１０，　第３曲げ部１２ａ，第４曲げ部１２ｂ，第５曲げ部１２ｃ，第６曲げ部１２ｄ，第２曲げ部１１の順に、境目なく連続したものであるが、図３においてはそれぞれの曲げ部が明確に判るように太線で区切っている。前記曲げ部の区切りを示す太線は、曲率半径が著しく変化する位置を目安に引かれている。
前記第３曲げ部１２ａ　等の更なる複数の曲げ部の数及び曲げ方向並びに曲げ度は適宜定められる。
【００２５】
前記弾性片８ａ，８ｂ　は、筐体１　内で背板４　側から正面の開口部７　側へと更なる複数の第３，第４，第５，第６，曲げ部１２ａ，１２ｂ，１２ｃ，１２ｄ　を有して段階的に突出している。筐体１の開口部７側の端からの弾性片の第２曲げ部への距離は定められた所定の長さである。弾性片８ａ，８ｂ　は、左右両側板５，６　の背板側の端部から対称に略同じ長さだけ筐体１内中央へ向かって突出している。
【００２６】
第１曲げ部１０は、第１　側板５　又は第２　側版６　との接続部であり、わずかに筐体１の内側に曲がりながら正面側から背面側へ突出している。
第３曲げ部１２ａ　は、弾性片８ａ，８ｂ　の突出の向きを背板４　側、即ち、背面側から正面側へと向ける曲げ部である。第３曲げ部１２ａ　の曲率半径は、前記第１　曲げ部１０の存在によって、弾性片を第１　側板５　又は第２　側版６　から直ちに正面へ向けて立ち上げるよりも、比較的大きくとることができる。
【００２７】
第４曲げ部１２ｂ　は弾性片８ａ，８ｂ　の突出の向きを正面側から背板４　側にわずかに戻している。第５曲げ部１２ｃ　は弾性片８ａ，８ｂ　の突出の向きを背板４　側から正面側へと再び戻している。第６曲げ部１２ｄ　は弾性片８ａ，８ｂ　の突出の向きを正面側へとそのままにしたまま第５曲げ部１２ｃ　から第２　曲げ部１１へと第６曲げ部１２ｄ　を通って滑らかに連続させるための曲げ部である。
【００２８】
前記第２曲げ部１１は、トランシーバーモジュール１８と最初に接触する部分であり、弾性片８ａ，８ｂ　の先端部がトランシーバーモジュール１８の背面を擦って傷つけないようにするために設けられた曲げ部である。
前記弾性片８ａ，８ｂ　は、トランシーバーモジュール１８収納時、トランシーバーモジュール１８の背面を圧迫し、係止部材９によるトランシーバーモジュール１８の係止が解除されたときにその弾性力でトランシーバーモジュー１８を押し出し排出する。
【００２９】
次に、上記構造を有する第１実施形態例に係わるトランシーバーケージの弾性片８ａ，８ｂ　の作用を説明する。
トランシーバーケージの開口部７から挿入されたトランシーバーモジュール１８は最初に第２曲げ部１１に当接する。トランシーバーモジュール１８の挿入が進行するにつれて弾性片８ａ，８ｂ　の突出側の端部である第２曲げ部１１は徐々に背面に押しやられる。その際の応力は前記複数の曲げ部１０，１２ａ，１２ｂ，１２ｃ，１２ｄが各々に撓むことにより分散され、一箇所に集中しにくい。
そのため、弾性片８ａ，８ｂ　はトランシーバーモジュール１８の頻繁な出し入れによっても塑性変形を容易に起こさなくなり、耐久性が向上する。その結果、弾性片８ａ，８ｂ　の寿命が長くなり、トランシーバーケージの寿命も長くなる。
【００３０】
尚、弾性片の数は、上記２つに限らず任意に定められる。更に、一つの板バネは幅を狭くして線のように細くしても良い。その線バネの断面は、四角形等の多角形であって円形であっても良い。
また、前記弾性片８ａ，８ｂ　は、連続した複数の曲げ部のみから形成されているが、前記第１曲げ部及び第２曲げ部との間に設けられた更なる少なくとも一つの曲げ部と前記第１曲げ部及び第２曲げ部との間に設けられた少なくとも一つの平面部或いは直線部とを連続的に組み合わせて形成された弾性片であってもよい。
更に、上記実施形態例においては、弾性片８ａ，８ｂ　が両側板５，６　から筐体１内に突出しているが、背板４　側の材料の一部を打ち抜いて弾性片８ａ，８ｂ　を形成してもよい。
【００３１】
また、上記実施形態例において筐体１の第１　開口部７から覗くと、弾性片８ａ，８ｂ　は左右両側板５，６　から対称に略同じ長さだけ筐体１内へ向かって突出しているが、筐体１内へ向かって突出する長さは弾性片の一方が短く、他方が長くてもよい。筐体１の第１　開口部７側の端からの弾性片の第２曲げ部への距離が所定の長さであればよい。
更に、上記実施形態例において、弾性片８ａ，８ｂ　は左右両側面側から筐体１内へと突出しているが、弾性片の全てがいずれか一方の側面側から他方の側面へ向けて突出するものであってもよい。
【００３２】
また、上記実施形態例においてトランシーバーケージは、一枚の金属プレートから形成されたものであったが、各部材を別々に製造し、それらを用いて接合や嵌め込みによって組立てるトランシーバーケージ組立体であってもよい。　例えば、筐体が、底板と背板と第１，第２　側板とからなる収納部本体とそれを上面から覆う蓋体とから構成されたものであってもよい。また、筐体が、底板と第１，第２　側板とからなる第１　部材と、背板と天板とからなる第２　部材とを組み合わせることによって形成されるものであってもよい。
更に、弾性片は、筐体と別体に形成して、筐体に接合させたり、係合させたりしてもよい。
【００３３】
次に、弾性片の弾性力を調整するために、様々に工夫された他の実施形態例を説明する。
（第２　実施形態例）
図４に第２　実施形態例を示す。図４　は、底面側から正面側の第１　開口部７がのぞめるような角度の斜視図である。図４に示されたトランシーバーケージの弾性片１９ａ，１９ｂ，１９ｃ，１９ｄ　は、第１　実施形態例における一つの弾性片８ａ，８ｂ　をそれぞれ二つに分割した場合に相当する。その他は第１　実施形態例と同様であるので説明を省略する。
【００３４】
（第３実施形態例）
図５に第３実施形態例を示す。図５は、トランシーバーケージの弾性片２３ａ，２３ｂ　を示す図であり、底面の第２　開口部１７から背面４　がのぞめるような角度の斜視図である。図５に示されたトランシーバーケージの弾性片２３ａ，２３ｂ　は、第１　実施形態例における少なくとも一つの板バネ弾性片８ａ，８ｂ　を所定の幅で突出側の先端から長手方向に所定距離だけ打ち抜いたものである。符号２４は打ち抜き部を示す。打ち抜き部の面積を変えることによって弾性片の弾性力を調整することができる。その他は第１　実施形態例と同様であるので説明を省略する。
【００３５】
（第４実施形態例）
図６に第４　実施形態例を示す。図６は、トランシーバーケージの弾性片２５ａ，２５ｂ　を示す図であり、底面の第２　開口部１７から背面４　がのぞめるような角度の斜視図である。図６に示されたトランシーバーケージの弾性片２５ａ，２５ｂ　は、第１　実施形態例における少なくとも一つの板バネ弾性片８ａ，８ｂ　の中程を所定の幅で長手方向に所定距離だけ打ち抜いたものである。符号２６は打ち抜き部を示す。打ち抜き部の面積を変えることによって弾性片の弾性力を調整することができる。更に、第２　及び第３　実施形態例の場合に比べて弾性片の突出側の端部は揃っているので、トランシーバーモジュールへの接触を適切に調整し易い。その他は第１　実施形態例と同様であるので説明を省略する。
【００３６】
（第５施形態例）
図７に第５実施形態例を示す。図７は、第１，第２　弾性片２０ａ，２０ｂ　が明確に見えるように底面側からみた断面図である。図７に示されたトランシーバーケージの第１，第２　弾性片２０ａ，２０ｂ　は、それぞれ第１　側板５　及び第２　側版６　の背板側の端の上部の延長部分を筐体の内側に湾曲させることにより形成された板バネの一種である。第１，第２　弾性片２０ａ，２０ｂ　の各々は、一端が固定され、他端が自由にされた片持ち弾性バネである。
【００３７】
本実施形態例において筐体１の第１　開口部７から覗いた場合、筐体１内へ向かって突出する長さは第１　弾性片２０ａ　が短く、第２　弾性片２０ｂ　が長くなっている。
前記第１　弾性片２０ａ　は、筐体側の端部の第１曲げ部１０と、突出側の端部の第２曲げ部１１と、前記第１曲げ部１０及び第２曲げ部１１との間に設けられた更なる第３，第４　曲げ部　２１ａ，２１ｂとからなる。
前記第２　弾性片２０ｂ　は、筐体側の端部の第１曲げ部１０と、突出側の端部の第２曲げ部１１と、前記第１曲げ部１０及び第２曲げ部１１との間に設けられた更なる第３，第４，第５，第６，第７，第８　曲げ部２２ａ，２２ｂ，２２ｃ，２２ｄ，２２ｅ，２２ｆ　とからなる。
【００３８】
第１，第２　弾性片２０ａ，２０ｂ　のそれぞれの曲げ部は境目なく連続したものであるが、図７においてはそれぞれの曲げ部が明確に判るように太線で区切っている。前記第３曲げ部２１ａ，２２ａ　等の更なる複数の曲げ部の数及び曲げ方向並びに曲げ度は適宜定められる。
前記第１，第２　弾性片２０ａ，２０ｂ　は、それぞれ筐体１　内で背板４　側から正面の第１　開口部７　側へと更なる複数の第３曲げ部２１ａ，２２ａ　等を有して段階的に突出している。筐体１の第１　開口部７側の端からの弾性片の第２曲げ部１１への距離は定められた所定の長さである。
【００３９】
第１曲げ部１０は、第１　側板５　又は第２　側版６　との接続部であり、わずかに筐体１の内側に曲がりながら正面側から背面側へ突出している。
第３曲げ部２１ａ，２２ａ　は、それぞれ第１，第２　弾性片２０ａ，２０ｂ　の突出の向きを背板４　側、即ち、背面側から正面側へと向ける曲げ部である。第３曲げ部２１ａ，２２ａ　の曲率半径は、前記第１　曲げ部１０の存在によって、弾性片を第１　側板５　又は第２　側版６　から直ちに正面へ向けて立ち上げるよりも、比較的大きくとることができる。
第２曲げ部１１は、トランシーバーモジュールと最初に接触する部分であり、第１，第２　弾性片２０ａ，２０ｂ　のそれぞれの先端部がトランシーバーモジュールの背面を擦って傷つけないようにするために設けられた曲げ部である。
【００４０】
前記第１，第２　弾性片２０ａ，２０ｂ　は、トランシーバーモジュール収納時、トランシーバーモジュールの背面を圧迫し、係止部材によるトランシーバーモジュールの係止が解除されたときにその弾性力でトランシーバーモジューを押し出し、排出する。
その他は第１　実施形態例と同様であるので説明を省略する。
【００４１】
（第６実施形態例）
図８　に第６　実施形態例を示す。図８　は、弾性片２７が明確に見えるように底面側からみた部分断面図である。図８に示されたトランシーバーケージの弾性片２７は、第１　側板５　の背板側の端の上部の延長部分を筐体の内側に湾曲させることにより形成された板バネの一種である。弾性片２７は、一端が固定され、他端が自由にされた片持ち弾性バネである。
前記弾性片２７は、筐体側の端部の第１曲げ部１０と、突出側の端部の第２曲げ部１１と、前記第１曲げ部１０及び第２曲げ部１１との間に設けられた更なる複数の曲げ部、即ち、第３，第４，第５，第６，第７　曲げ部２８ａ，２８ｂ，２８ｃ，２８ｄ，２８ｅ　とからなる。これらの曲げ部は境目なく連続したものであるが、図８　において、それぞれの曲げ部が明確に判るように太線で区切っている。
【００４２】
前記弾性片２７は、筐体１　内で背板４　側から正面の第１　開口部７　側へと第３　曲げ部　２８ａ等の更なる複数の曲げ部２８ｂ，２８ｃ，２８ｄ，２８ｅ　を有して段階的に突出している。筐体１の第１　開口部７側の端からの弾性片の第２曲げ部１１への距離は定められた所定の長さである。第１　開口部７　から覗くと、前記弾性片２７は、第１　側板５　の背板４　側の端部から第２　側板６　へ向けて突出しているように見える。
第１曲げ部１０は、第１　側板５　との接続部であり、筐体１の内側に曲がりながら正面側から背面側へ突出している。
第３曲げ部２８ａ　は、弾性片２７の突出の向きを背板４　側、即ち、背面側から正面側へと向ける曲げ部である。第３曲げ部２８ａ　の曲率半径は、前記第１　曲げ部１０の存在によって、弾性片を第１　側板５　から直ちに正面へ向けて立ち上げるよりも、比較的大きくとることができる。
【００４３】
第４　曲げ部２８ｂ　は、弾性片２７の突出方向を第２側板６　から第１側板５　へと変更する折り返し部である。第６曲げ部２８ｄ　は、弾性片２７の突出方向を第１側板５　から第２側板６　へと変更する折り返し部である。第３　、第５　、第７　曲げ部２８ａ，２８ｃ，２８ｅ　は、第１曲げ部１０、第４　曲げ部２８ｂ　、第６曲げ部２８ｄ　、第２曲げ部１１の間をそれぞれ滑らかに接続する曲面である。
第２曲げ部１１は、トランシーバーモジュールと最初に接触する部分であり、弾性片２７の先端部がトランシーバーモジュールの背面を擦って傷つけないようにするために設けられた曲げ部である。
【００４４】
前記弾性片２７は、トランシーバーモジュール収納時、トランシーバーモジュールの背面を圧迫し、係止部材によるトランシーバーモジュールの係止が解除されたときにその弾性力でトランシーバーモジュールを押し出し、排出する。
その他は第１　実施形態例と同様であるので説明を省略する。
【００４５】
（第７，第８，第９　実施形態例）
図９　乃至図１１はそれぞれ第７，第８，第９　実施形態例を示す。図９　乃至図１１は弾性片２９ａ，２９ｂ　３０ａ，３０ｂ，３１ａ，３１ｂ　を正面側の第１　開口部７　からみた図である。図９　乃至図１１に示されたトランシーバーケージの弾性片２９ａ，２９ｂ　３０ａ，３０ｂ，３１ａ，３１ｂ　は、第１　実施形態例における少なくとも一つの板バネ弾性片８ａ，８ｂ　の幅を第１　曲げ部１０から第２　曲げ部１１に向かうにつれ、狭くしたものである。
図９に示された弾性片２９ａ，２９ｂ　において、正面視の弾性片２９ａ，２９ｂ　の下端の線を徐々に上昇させるように、弾性片８ａ，８ａｂの幅を徐々に狭くしたものである。その他は第１　実施形態例と同様であるので説明を省略する。
【００４６】
図１０に示された弾性片３０ａ，３０ｂ　において、正面視の弾性片３０ａ，３０ｂ　の上端の線を徐々に下降させるように、弾性片８ａ，８ａｂの幅を徐々に狭くしたものである。その他は第１　実施形態例と同様であるので説明を省略する。
図１１に示された弾性片３１ａ，３１ｂ　において、正面視の弾性片３１ａ，３１ｂ　の上端の線を徐々に下降するように、且つ、下端の線を徐々に上昇させるように、弾性片８ａ，８ａｂの幅を徐々に狭くしたものである。その他は第１　実施形態例と同様であるので説明を省略する。
【００４７】
【発明の効果】
本発明のトランシーバーケージによると、弾性片の筐体接続側の端部となる第１曲げ部と、トランシーバーモジュールが最初に接触する側の端部となる第２曲げ部との間に更なる少なくとも一つの曲げ部を有しているので、トランシーバーモジュールを挿入時、弾性片に加わる応力が前記更なる曲げ部によって分散され、一箇所に集中しにくい。
そのため、弾性片が塑性変形を容易に起こさなくなり、弾性片の耐久性が向上する。その結果、弾性片の寿命が長くなり、トランシーバーケージの寿命も長くなる。
【図面の簡単な説明】
【図１】本発明の第１　実施形態例を底面側から見た斜視図である。
【図２】本発明の第１　実施形態例を上面側から見た斜視図である。
【図３】本発明の第１　実施形態例の弾性片を底面側から見た図である。
【図４】本発明の第２実施形態例に係わる弾性片を底面側から見た図である。
【図５】本発明の第３実施形態例に係わる弾性片を底面側から見た図である。
【図６】本発明の第４実施形態例に係わる弾性片を底面側から見た図である。
【図７】本発明の第５　実施形態例に係わる弾性片を底面側から見た図である。
【図８】本発明の第６　実施形態例に係わる弾性片を底面側から見た部分断面図である。
【図９】本発明の第７　実施形態例に係わる弾性片を正面側から見た図である。
【図１０】本発明の第８　実施形態例に係わる弾性片を正面側から見た図である。
【図１１】本発明の第９　実施形態例に係わる弾性片を正面側から見た図である。
【図１２】従来のトランシーバーケージを底面から見た斜視図である。
【図１３】従来のトランシーバーケージの弾性片を底面から見た図である。
【符号の説明】
１　　　筐体
２　　　天板
３　　　底板
４　　　背板
５　　　第１　側板
６　　　第２　側板
７　　　開口部
８ａ，８ｂ　　　弾性片
９　　　係止部材
１０　　第１　曲げ部
１１　　第２　曲げ部
１２ａ，１２ｂ，１２ｃ，１２ｄ　　　更なる曲げ部
【図１】
2004087790.tif 000003
【図２】
2004087790.tif 000004
【図３】
2004087790.tif 000005
【図４】
2004087790.tif 000006
【図５】
2004087790.tif 000007
【図６】
2004087790.tif 000008
【図７】
2004087790.tif 000009
【図８】
2004087790.tif 000010
【図９】
2004087790.tif 000011
【図１０】
2004087790.tif 000012
【図１１】
2004087790.tif 000013
【図１２】
2004087790.tif 000014
【図１３】
2004087790.tif 000015